(57)【要約】【課題】  弦楽器において、ビジュアル効果の大きな現象である「光」を演奏に応じて造出できるようにする。【課題を解決するための手段】  弦とフレットを通電状態にすることで接触・非接触を感知する感知手段を構成するとともに、該感知手段に連動する演出手段により所定の光を発生する弦楽器用演出装置を提供する。【選択図】図１
2009271484.tif 000002
【特許請求の範囲】
【請求項１】
弦とフレットの接触を感知する感知手段と、該感知手段に連動する演出手段を備えたことを特徴とする弦楽器用演出装置。
【請求項２】
前記感知手段が、弦とフレットの通電接触により前記演出手段をスイッチ切り替え可能な回路である請求項１に記載の弦楽器用演出装置。
【請求項３】
前記演出手段が発光手段を備えたものである請求項１、２に記載の弦楽器用演出装置。
【請求項４】
前記感知手段と前記演出手段を、弦楽器本体に簡易装着可能なユニット構成にしたことを特徴とする請求項１、２、３に記載の弦楽器用演出装置。
【請求項５】
前記演出手段に信号伝送手段を設けてなる請求項１、２、３、４に記載の弦楽器用演出装置。
【発明の詳細な説明】
【技術分野】
【０００１】  この発明は、特に、ギターやベースなどの弦楽器に用いて好適な弦楽器用演出装置に関するものである。
【背景技術】
【０００２】  一般に、弦楽器は、所定の張力を与えられた複数本の弦を有してなり、各弦を適宜の方法で振動させて音響を発生させ、所望の演奏を行うものである。【０００３】  弦楽器は、弦を発音させる方法の違いによって、撥弦楽器（ギター、ベース、マンドリンなど）、擦弦楽器（バイオリン、胡弓など）、打弦楽器（ピアノなど）に分類される。【０００４】  このうちギターやベースなどの撥弦楽器は、簡潔な構造でありながら複雑な演奏ができるという特徴を有し、大衆楽器として広く普及している。【０００５】  撥弦楽器は、複数本の弦が棹（さお）に沿って張設され、その振動音を変えるためのフレット（凸条体）が棹の表面（＝指板）に、弦と直角方向に配列されている。【０００６】  即ち、フレットは、所定の間隔で固設された凸条体であり、該フレットの近傍にて弦を指先で抑えることで、そのフレットから下駒に至る弦の自由振動長さが決定され、それにより音の高さ（＝振動数）が確定する。このため、フレット毎に設定された音階が離散的に選択できるようになっている。【０００７】  代表的な撥弦楽器であるギターやベースの場合、演奏者は、適所のフレット近傍にて弦を左手の指先で押さえ、その弦の自由振動域を手指またはピックで弾くことにより所望の音を造出することとなる。【０００８】  弦の振動音を大きくするために、クラシックギターなどではふくらみのある共鳴胴により増幅させる構造になっている。エレクトリックギターでは、弦の振動を電磁ピックアップで検知して電気的に増幅するため共鳴胴は不要だが、この場合も、デザイン上の理由により共鳴胴に似た扁平胴が備えられている。【０００９】  尚、バイオリンのような擦弦楽器にはフレットが無く、従って、弦を押さえる指の位置に応じて音程が連続的に変化するようになっている。
【発明の開示】
【発明が解決しようとする課題】
【００１０】
【００１１】  近年、ＩＴ（情報通信）技術の進歩により楽曲のデジタルコピー技術の蔓延により、ＣＤ（コンパクトディスク）やＭＤ（ミニディスク）など楽曲メディアの販売が大きく落ち込んでいる。これに伴い、音楽業界は、ライブ演奏やプロモーションビデオなど映像と連携するコンテンツのマーケティングを強化するようになってきた。【００１２】  しかしながら従来の弦楽器は、「音による演奏」にのみ特化した表現であり、「視覚効果を伴う演奏」は期待できなかった。【００１３】  この発明が解決しようとする課題は、音以外の要素によって演奏を演出できる手段、特にビジュアル効果の大きい「光」によって演奏演出を行うことができる手段を提供することにある。
【課題を解決するための手段】
【００１４】  上記の課題を解決するために、弦とフレットの接触を感知する感知手段と、該感知手段に連動する演出手段を備えたことを特徴とする弦楽器用演出装置を構成した。
【発明の効果】
【００１５】  この発明の弦楽器用演出装置は、弦とフレットの接触を直接的に感知する感知手段とそれに連動する演出手段とによって、光や音などによるパフォーマンス（芸術的表現）が実現でき、コンサートやライブにおける視覚的興趣を増大できるという効果を奏する。
【発明を実施するための最良の形態】
【００１６】  以下、本発明の弦楽器用演出装置を最も好適な弦楽器であるクラシックギターに適用した実施例を図面により説明する。
【実施例】
【００１７】  図１において、弦楽器１００は、６本の弦１０１を棹（さお）１０２に沿って備えるとともに、該棹１０２の表面（＝指板）に弦１０１と直角方向の凸条体からなるフレット１０３を有している。該フレット１０３は、弦１０１の振動長さを確定するためのものであり、棹１０２の長手方向に所定の間隔で配列されている。【００１８】  また、各弦１０１同士は、上駒１０４と下駒１０５によって一定間隔で平行に張設されている。即ち、上駒１０４は、棹１０２の上部で弦１０１と直角方向に設けられ、弦１０１の上端部を下から押し上げる形で支持する構成になっている。同様に、前記下駒１０５は、共鳴胴１０７の前面に固設され、弦１０１の端部を下から押し上げる形で支持している。【００１９】  したがって、弦１０１の開放状態での振動数は、上駒１０４と下駒１０５の長さで決定する。【００２０】  ここで、下駒１０５を構成する部材が鉄などの導電性部材であれば、該下駒１０５に通電することによりすべての弦１０１に通電することができる。逆に、下駒１０５がプラスチック、骨、象牙などの非導電性部材で構成されていれば、各弦１０１を通電するには、個別の弦ごとに電気接続することとなる。【００２１】  この実施例においては、６本の弦１０１はすべて導電性部材で構成されたものとする。
即ち、弦１０１は細い金属線、またはナイロン糸の束を金属線でコイル被覆した巻線弦などからなっており、通電可能に構成されている。【００２３】  一般に、クラシックギターの弦は、高音側の３本が非導電性のナイロン製であり、低音側の３本のみが導電性部材になっているケースが多いが、その場合でも、低音側の導電性の弦に対して本発明の演出装置は適用可能である。【００２４】  前記フレット１０３は金属製であり、導電性である。また、棹１０２は非導電性の木製であるから各フレット１０３同士は互いに絶縁されている。【００２５】  １０６は糸巻きである。該糸巻き１０６は前記上駒１０４の上側に配設され、各弦１０１の上端を巻き上げてその張力を調整できるようになっている。【００２６】  次に、演出手段１０と感知手段２０について詳述する。【００２７】  図１、図２において、１０は演出手段である。該演出手段１０は、共鳴胴１０７の表面に取り付け可能な筐体１０ａと通電コード１１，１２とを備え、筐体１０ａの表面には発光手段Ｌが備えられている。該発光手段Ｌは、小型電球、発光ダイオードなどの発光性電子部品が用いられる。本実施例においては、小型かつ高輝度で発光効率に優れた発光ダイオードを用いている。また、該発光手段Ｌを駆動する電源は、ボタン電池、単３、単４、単５などの軽量小型乾電池であり、筐体１０ａ内に内蔵されている。【００２８】  前記発光手段Ｌは、白色の発光ダイオードを１個だけ設けてもよいし、複数個を適宜の形状に配列してもよい。図１の実施例では、３個の発光ダイオードＬを直線状に配列した例を示してあるが、もっと数多くの光源を用いて、たとえば、共鳴胴１０７の周縁に装飾配列させてもよい。また、赤、黄、青、緑などの有色の発光ダイオードを適宜組み合わせて、装飾的に配列してもよい。さらに、筐体１０ａ内に適宜の明滅回路を組み込み、適宜の時間差で  赤  →  黄  →  緑  の順に点灯させるなどの演出を行えるように構成してもよい。【００２９】  前記演出手段１０は、一方の端子に通電コード１２が備えられ、下駒１０５を介して弦１０１に通電接続されている。また、他方の端子には通電コード１１が備えられ、フレット１０３に通電接続されている。【００３０】  前記通電コード１１に接続されたフレット１０３と、前記通電コード１２に接続された弦１０１とにより感知手段２０が構成されている。すなわち、通電コード１２を介して弦１０１に印加された電圧は、弦１０１とフレット１０３が接触した時に、通電コード１１側へと導通し、前記演出手段１０を作動できるようになっている。すなわち、弦１０１とフレット１０３は、互いの接触・非接触に応じて、演出手段１０を導通させる閉回路をオン・オフするスイッチ機構になっている。【００３１】  ここで、感知手段１０と演出手段２０の構成要素は、筐体１０ａに通電コード１１，１２を備えた簡潔な一体的ユニットになっており、弦楽器１００の本体に容易に装着できるようになっている。このため、弦楽器本体に特別な加工を施すことなく、既存の弦楽器にこのユニットを取り付けて本願装置を構成することができる。【００３２】  このような構成は、図３のような等価回路により表すことができる。この回路において、弦１０１が���圧されてフレット１０３に接触すると、弦１０１、フレット１０３、コード１１、演出手段１０、コード１２がこの順に導通する。この時、演出手段１０の発光手段Ｌが駆動されることとなる。【００３３】  尚、該発光手段１１は、高出力の固体レーザや気体レーザなどで構成してもよいことはもちろんである。その場合の電源は高出力の外部電源にて構成される。【００３４】  尚、通電コード１１の接続先は、１本のフレットだけであってもよいし、使用頻度の高い複数本のフレット１０３であってもよい。この場合、特定のフレットに触れた時だけ演出手段２０が作動して発光手段Ｌが発光することになる。もちろん、すべてのフレット１０３にコード１１を接続してもよい。【００３５】  また、演奏の邪魔になるのを防ぐために、通電コード１１を棹１０２の内部に埋め込み配線してフレット１０３に接続してもよい。
同様に、通電コード１２は、胴１０７の表面に埋め込み配線して下駒１０５や弦１０１に接続してもよい。【００３６】  次に、本発明の弦楽器用演出装置の発展形について説明する。【００３７】  図４は、フレットに応じた発展形の実施例を示す配線の原理図である。【００３８】  図１の実施例では、導電性の下駒１０５に通電することによりすべての弦１０１を同時に通電されているから、６本の弦１０１のうちの少なくとも１本が通電されたフレット１０３のいずれか１本に接触すれば演出手段１０が作動することとなる。【００３９】  しかしながら演奏者がフレット１０３の押さえ位置を変える時、フレットの位置に関わりなく光が明滅するだけでは演出効果としては単調である。そこで、「押圧されるフレットの位置により光が変化する」ようにした構成が図４に示す実施例である。この実施例では、フレットの位置に応じて発光ダイオードの色や光度を変えるように構成されている。【００４０】  また、弦１０１を押さえる位置が下駒１０５に近づくほど光源Ｌから発する光が青に近づき、遠ざかるほど赤くなるような構成も可能である。たとえば、第１フレットは赤、第２フレットは橙、第３フレットは黄、・・・といった方法で対応させれば音のメロディーとは別に「色彩のメロディー」とも呼ぶべき演出効果を醸成することができる。【００４１】  さらに、抑えるフレットごとに異なる明るさを設定するように構成してもよい。たとえば、低音側は暗く、高温側は明るくなるような回路構成を施すことで、より深みのあるパフォーマンスが実現可能となる。【００４２】  次に、「押圧する弦の種類によって光が変化する構成」について説明する。【００４３】  図５は、弦に応じた発展形の実施例を示す配線の原理図である。【００４４】  図１の実施例は、導電性の下駒１０５に接続することによりすべての弦１０１を共通に通電したものであるが、下駒１０５を非導電性材料で構成し、弦１０１の１本ごとに別々の通電コードを接続すれば、弦ごとに異なる色で発光することができる。即ち、たとえば、第１弦は赤、第２弦は橙、第３弦は黄、・・・といった方法で対応させれば、音のメロディーとは別に「色彩のメロディー」とも呼ぶべき演出効果を醸成することができる。【００４５】  次に、演出手段が信号伝送手段を備えた実施例について説明する。【００４６】  図６において、３０は信号伝送手段である。該伝送手段３０は、弦１０１とフレット１０５の接触状態に関わる信号を外部に信号伝送するための回路であり、演出手段１０に連動して動作できるようになっている。該信号伝送手段３０によって、大出力のレーザやハイパワー音響装置などのコンサート用演出装置を弦楽器演奏に完全同期する形で駆動することができる。【００４７】  すなわち、これまでの演奏会では、演奏会場のステージ、壁面、天井などに設置した大出力レーザは、演奏に直接同期することができなかったのに対し、本発明の弦楽器用演出装置と該信号伝送手段３０とによれば、演奏に対しリアルタイム同期で発光させることができる。【００４８】  尚、該信号伝送手段３０は、有線ケーブル方式と無線伝送方式のどちらでもよいが、演奏者の活動の自由を妨げないためには無線伝送方式が望ましい。
【産業上の利用可能性】
【００４９】  この発明の弦楽器用演出装置によって、演奏に直接的に連携して光を発する機能を有するギターやベースを実現でき、楽器の新規市場を開拓して音楽産業の振興に利用できる。
また、弦楽器の演奏と直接的に連動してレーザ光を発したり、アクセント音を発する舞台装置を実現することができ、ライブ演奏の興趣を倍増して音楽産業の振興に利用できる。
【図面の簡単な説明】
【００５０】
【図１】    本発明の弦楽器用演出装置を示す全体斜視図である。
【図２】    弦とフレットの接触を感知する感知手段と演出手段の原理構成図である。
【図３】    感知手段と演出手段と発光手段の関係を示す回路図である。
【図４】    フレットごとに異なる発光を伴う実施例の原理図である。
【図５】    弦ごとに異なる発光を伴う実施例の原理図である。
【図６】    信号伝達手段を備えた実施例の回路図である。
【符号の説明】
【００５１】    １００    弦楽器
１０１    弦
１０２    棹（さお）
１０３    フレット
１０４    上駒
１０５    下駒
１０      演出手段
１０ａ    筐体
１１      通電コード
１２      通電コード
２０      感知手段
３０      信号伝送手段
Ｌ        発光手段（光源）
【図１】
2009271484.tif 000003
【図２】
2009271484.tif 000004
【図３】
2009271484.tif 000005
【図４】
2009271484.tif 000006
【図５】
2009271484.tif 000007
【図６】
2009271484.tif 000008